(57)【要約】【課題】  提灯類は、一般に特殊な組型を用いて製作されるために製作コストが高くつくとともに、１つの組型では単一形状の提灯類しか製作できない。又、教材用の製作用提灯キットも公知であるが、これも単一形状の提灯しか製作できない。【解決手段】  製作すべき提灯類の外周面を被覆し得る面積を有する貼紙１と、該貼紙１に接着される複数本の補強細棒２とを有し、各補強細棒２にそれぞれ所定小長さ間隔をもって複数箇所に折曲用の折り目加工部２１を形成していることにより、貼紙１と各補強細棒２のみで提灯類を製作できるとともに、１つの製作材料で色々な形状の提灯類を製作できるようにした。【選択図】      図２
2006228548.tif 000002
【特許請求の範囲】
【請求項１】
製作すべき提灯類の外周面を被覆し得る面積を有する貼紙（１）と、該貼紙（１）に接着される複数本の補強細棒（２，２・・）とのセットであって、前記各補強細棒（２，２・・）には、それぞれ所定小長さ間隔（Ｐ）をもって複数箇所に折曲用の折り目加工部（２１，２１・・）を形成していることを特徴とする提灯類製作材料。
【請求項２】
製作すべき提灯類の外周面を被覆し得る面積を有する貼紙（１）の片面に、それぞれ所定小長さ間隔をもって複数箇所に折曲用の折り目加工部（２１，２１・・）を形成している複数本の補強細棒（２，２・・）を、所定高さ間隔（Ｈ）をもって平行に接着させていることを特徴とする提灯類製作材料。
【請求項３】
請求項２において、各補強細棒（２，２・・）の左端（２ａ）及び右端（２ｂ）に、別の提灯類製作材料の各補強細棒（２，２・・）の右端（２ｂ）又は左端（２ａ）を連結する凹凸嵌合部（２２，２３）を形成していることを特徴とする提灯類製作材料。
【請求項４】
製作すべき提灯類の外周面を被覆し得る面積を有する貼紙（１）の片面に、柔軟性を有し復元可能な細棒状で且つ所定小長さ間隔（Ｐ）をもって複数箇所に折曲用の折り目加工部（４１）を形成しさらに内部に補強細棒（５）を出し入れ自在に保持し得る空間部（４２）を設けた複数本の細棒保持材（４，４・・）を、所定高さ間隔（Ｈ）をもって平行に接着させているとともに、前記各細棒保持材（４，４・・）の空間部（４２）内に収容される切断可能な複数本の補強細棒（５，５・・）をセットにしていることを特徴とする提灯類製作材料。
【発明の詳細な説明】
【技術分野】
【０００１】
本願発明は、提灯類を製作するための各種材料をセットにした提灯類製作材料に関するものである。尚、本願でいう提灯類とは、例えば照明器具の外囲いとして使用されるものや、単に室内装飾用（インテリヤ提灯）として使用されるものがある。
【背景技術】
【０００２】
提灯類は、古き時代には照明用の実用品として使用されていたが、今日においては、例えばお祭り等の特殊な行事のときに使用したり、あるいは室内装飾用（インテリヤ提灯）として使用する程度に留まっているのが現状である。
【０００３】
ところで、近年、古き良きものを伝統工芸として継承して行こうとする機運が高まっており、提灯の分野においても複数の県で伝統工芸品として認定されている。
【０００４】
ところが、実際に提灯を製作するには、特殊な組型を用い（精巧な多数枚（８枚１組）の型板を使用している）、組立てた組型の各型板の外周にヒゴを巻付け、その外側に貼紙を貼着した後、組型を解体して提灯を製作するが、各製作工程に熟練を要するとともに、高価な組型を用意する必要があるので、一般人には到底製作できないものであった。
【０００５】
他方、例えば児童等に提供する提灯製作用の教材として、実用新案登録第３０３０７４０号公報（特許文献１）に示されるものがある。この公知例の提灯製作用教材（考案の名称；製作用提灯キット）は、外側縁を円弧形状にした複数枚（８枚）の型板と、各型板の上下をそれぞれ等間隔に位置決めした状態で保持する係止板及び固定リング（それぞれ一対ある）と、２枚の張輪と、所定面積の貼紙と、該貼紙から所定形状の表紙を切り抜くための型紙と、組立てた各型板の外周に巻付ける所定長さのヒゴ、等を１セットにして構成されている。そして、これらの各材料からなる提灯製作用教材は、実際の提灯製作手順に従って、予め貼紙から型紙形状の表紙を所定枚数裁断しておき、組型（各型板、係止板、固定リング等）を組立て、各型板の外周にヒゴを螺旋状に巻付け、上下固定リングの各外周面にそれぞれ張輪を取付け、巻付けヒゴの外側に各表紙を貼付け（糊付けし）、該糊が乾いた後に固定リング及び係止板を外し、各型板を１枚ずつ抜き外せば、提灯の製作が完了する。
【０００６】
【特許文献１】実用新案登録第３０３０７４０号公報
【発明の開示】
【発明が解決しようとする課題】
【０００７】
ところで、上記した公知例（実用新案登録第３０３０７４０号公報）の提灯製作用教材では、次のような問題があった。
【０００８】
(1) 提灯を製作するのに、提灯本体の材料（貼紙及びヒゴ）のほかに、組型（８枚の型板、２枚の係止板及び２つの固定リング）や表紙切り抜き用の型紙等の多くの種類の補助部材が必要であり、提灯の製作コストが高くつく。
【０００９】
(2) 提灯の製作工程（組型の組立て、各表紙の切り抜き、ヒゴの巻付け、各張輪の組付け、各表紙の貼付け、組型の解体等）が繁雑で、製作に時間がかかるとともにかなりの熟練を要する。
【００１０】
(3) 組型が定形であるので、１種類の形状・大きさの提灯しか製作できず、教材としておもしろ味に欠ける。
【００１１】
そこで、本願発明は、提灯類の製作にあたって上記の諸問題点を改善し得るようにした提灯類製作材料を提供することを目的としている。
【課題を解決するための手段】
【００１２】
本願発明は、上記課題を解決するための手段として次の構成を有している。尚、本願発明は、提灯類を製作するための提灯類製作材料を対象にしている。又、本願の提灯類製作材料は、実際に使用する提灯類を製作できるほかに、実際に提灯類として使用しないが提灯類製作用の教材として使用する場合もある。
【００１３】
本願請求項１の発明
本願請求項１の発明の提灯類製作材料は、製作すべき提灯類の外周面を被覆する貼紙と、該貼紙に接着される複数本（限定するものではないが、例えば４〜６本）の補強細棒とをセットにしたものである。
【００１４】
貼紙は、製作すべき提灯類の大きさに応じた適宜の面積を有している。又、この貼紙は、折曲したり（折り目をつける）裁断したりすることができるとともに、適度の撓み強度（いわゆる「腰」）を有するものが好ましい。尚、この貼紙の材料としては、和紙が一般的であるが、普通の洋紙やプラスチックシート等も使用可能である。
【００１５】
補強細棒は、通称ヒゴと称されているもので、製作された提灯類の補強骨となるものである。この補強細棒は、例えば直径が１〜２mm程度の細径で丸棒状のものが一般的であるが、角棒状のものや細幅板状のものも採用可能である。又、この各補強細棒の長さは、製作すべき提灯類の周囲長さとほぼ同長さ（貼紙の一辺長さとほぼ同長さ）に設定することが好ましい。尚、この補強細棒の材料は、竹、木、プラスチック等で比較的撓み強度があるものがよい。
【００１６】
又、各補強細棒には、それぞれ所定小長さ間隔をもって複数箇所に折曲用の折り目加工部を形成している。この各折り目加工部は、補強細棒の径方向の一部を切除して、その切除部分で折り曲げ易くしたものである。尚、各折り目加工部の間隔は、製作される提灯類の周囲長さにもよるが、例えば１〜３cm間隔が適当である。
【００１７】
この請求項１の提灯類製作材料は、貼紙と各補強細棒とを別体にした状態で提供される。そして、この提灯類製作材料を使用して提灯類を製作するには、展張させた貼紙の上に、所定本数（例えば４〜６本）の補強細棒を、所定高さ間隔をもって相互に平行に向けて接着させる。その場合、少なくとも貼紙の上縁部及び下縁部にはそれぞれ補強細棒を価値するようにする。又、各補強細棒の接着は、該補強細棒に形成している折り目加工部が貼紙とは反対側に露出する姿勢で且つ各補強細棒の一端を貼紙の一側端に揃えて位置決めされる。このとき、貼紙の他方の側縁には、各補強細棒の他端から僅かにはみ出す糊代部が形成されるようにするとよい。この状態では、各補強細棒のそれぞれの折り目加工部が補強細棒長さ方向と直交方向の同位置に並ぶように位置決めされる。尚、補強細棒の貼紙への接着方法としては、補強細棒を直接糊付けしてもよく、あるいは細幅の両面接着テープで接着させるようにしてもよい。
【００１８】
そして、形成すべき所望の提灯類の形状に応じて、各補強細棒についてそれぞれ所定位置にある複数箇所（１本の補強細棒につき２箇所以上）の折り目加工部を折曲して（このとき当該各折曲部位の貼紙も折曲される）、貼紙を筒状に成形した後、該貼紙の一端側縁（糊代部）を他端側縁に糊付けすることで、筒状の提灯類を製作することができる。尚、各補強細棒について、例えば２箇所を折曲して環状にすると該補強細棒が平面三角形になり、３箇所を折曲して環状にすると該補強細棒が平面四角形になり、同様に折曲箇所数を多くすることで該補強細棒を折曲箇所数より１つ多い多角形にすることができる。又、各補強細棒部分を正多角形にするには、折曲される各辺の長さ（一辺に有する折り目加工部の個数）を同じにする必要があるが、補強細棒に形成されている折り目加工部の個数（両端を除く）が所望の多角形の辺の数の正数倍から１を減じた数になるように、端部寄りの適宜の位置にある折り目加工部で切断して各補強細棒の長さを調節する。尚、この場合、貼紙のはみ出し部分も切除する。
【００１９】
ところで、貼紙には、隣接する各補強細棒の上下対応位置にある折曲部（折曲させた折り目加工部）を結ぶ位置に折り線が現出するようになる。そして、例えば上下２本の補強細棒の上下同位置にある各折り目加工部を折曲すると、貼紙に現出する折り線が鉛直方向に向き、同じく上下２本の補強細棒の上下にずれた位置にある各折り目加工部を折曲すると、貼紙に現出する折り線が斜め方向に向くようになる。従って、各補強細棒の折り位置を変化させることで、色々な形状の提灯類に成形できる。
【００２０】
本願請求項２の発明
本願請求項２の発明の提灯類製作材料は、製作すべき提灯類の外周面を被覆し得る面積を有する１枚ものの貼紙の片面に、所定小長さ間隔をもって複数箇所に折曲用の折り目加工部を形成している複数本の補強細棒を、所定高さ間隔をもって平行に接着させていることを特徴としている。
【００２１】
即ち、この請求項２の提灯類製作材料は、上記請求項１における、貼紙に各補強細棒を所定高さ間隔をもって平行に接着させたもので、該貼紙と補強細棒とを一体化させた状態で提供される。又、この請求項２の提灯類製作材料も、上記請求項１のものと同様に、各補強細棒の所定折り目加工部を折曲することで、所望の形状の提灯類を製作できる。
【００２２】
本願請求項３の発明
本願請求項３の発明は、上記請求項２の提灯類製作材料において、各補強細棒の左端及び右端に、別の提灯用材料の各補強細棒の右端又は左端を連結する凹凸嵌合部を形成していることを特徴としている。
【００２３】
この請求項３の提灯類製作材料では、２つの補強細棒付き貼紙を、各側のそれぞれの補強細棒の端部同士（凹凸嵌合部同士）をそれぞれ凹凸嵌合させることにより、２つの提灯類製作材料を左右に連続させて１枚の大面積にすることができる。尚、継ぎ足し側の提灯類製作材料は、必要長さだけ裁断したものを使用することができる。
【００２４】
この請求項３の提灯類製作材料では、別の提灯類製作材料（全部又は一部）を継ぎ足すことにより、径の大きな提灯類を製作できる。
【００２５】
本願請求項４の発明
本願請求項４の提灯類製作材料は、１つのセットで形状の異なる提灯類を何度も再製することができるようにしたものである。即ち、この請求項４の提灯類製作材料は、製作すべき提灯類の外周面を被覆し得る面積を有する貼紙の片面に、柔軟性を有し復元可能な細棒状で且つ所定小長さ間隔（例えば１〜３cm間隔）をもって複数箇所に折曲用の折り目加工部を形成しさらに内部に補強細棒を出し入れ自在に保持し得る空間部を設けた複数本の細棒保持材を、所定高さ間隔をもって平行に接着させているとともに、各細棒保持材の空間部内に収容される切断可能な複数本の補強細棒をセットにしたことを特徴としている。
【００２６】
貼紙は、請求項１〜３に使用されているものと同じである。
【００２７】
細棒保持材は、柔軟性を付与するために、軟質ゴム（又は軟質プラスチック）のような材質のもので成形されている。又、この細棒保持材内の空間部は、該細棒保持材の全長に亘って連続させている。尚、この空間部は、断面をＣ形にして、スリット状の開口部からでも補強細棒を出し入れし得るようにするとよい。細棒保持材の各折り目加工部は、小範囲の部分を切除して曲げ易くしたものである。この各細棒保持材は、貼紙の片面に、上記請求項２の補強細棒と同様に接着されている。そして、この各細棒保持材は、空間部内に補強細棒を入れていない状態では、それぞれの折り目加工部で貼紙ごと折曲させることができるとともに、その折曲部分を延ばせば貼紙ごと元の直線状に復帰させることができるようになっている。尚、各細棒保持材を貼紙に接着させただけのものでは、該細棒保持材に強度が乏しいので、提灯類として成形したときに保形性を維持できない。
【００２８】
細棒保持材の空間部内に保持させる補強細棒としては、竹ヒゴのような細い丸棒材が好ましい。尚、この補強細棒は、長尺のものを使用時にハサミ等で細棒保持材の折曲一辺長さよりやや短い長さに切断して用いる。
【００２９】
この請求項４の提灯類製作材料では、製作すべき提灯類の形状に応じて、各細棒保持材についてそれぞれ複数の折曲予定位置（折り目加工部が折曲予定位置となる）を選定し、長尺の補強細棒を、隣接する２つの折曲予定位置間（あるいは細棒保持材の端部から第１折曲予定位置まで）の長さよりやや短い長さに切断して、必要本数の短細棒を形成しておく。そして、各短細棒を折曲予定位置の折り目加工部にかからないようにして、それぞれ細棒保持材の空間部内に収容・保持させる。この状態では、各細棒保持材の折曲予定位置（短細棒が入っていない）は自由に折曲できるが、細棒保持材における短細棒が入っている部分は折曲できない。そして、各細棒保持材のそれぞれ折曲予定位置を貼紙ごと折曲させて、上記請求項１の場合と同様に予め予定していた形状の筒形（提灯類）に製作する。この成形状態では、細棒保持材の各折曲部間に短細棒が保持されているので、筒形形状の保形性は確保されている。尚、所定の形状に成形した後、異なる形状にやり代える場合には、貼紙の糊代部は接着させないでおく。
【００３０】
そして、所定形状に成形した後、異なる形状にやり代える場合は、各細棒保持材の折曲させていた部分を貼紙とともに直線状に延ばし（貼紙も平面状態になる）、新しく製作すべき提灯類の形状に応じて、各細棒保持材についてそれぞれ新しく折曲予定位置を選定して、各短細棒をそれぞれ折曲予定位置の折り目加工部にかからないように移動させ（又は取外して別の長さの短細棒を空間部内に入れる）、各細棒保持材の新しい各折曲予定位置をそれぞれ貼紙とともに折曲させることで、異なる形状の提灯類を製作できる。
【発明の効果】
【００３１】
本願請求項１の発明の効果
本願請求項１の発明の提灯類製作材料は、製作すべき提灯類の外周面を被覆する貼紙と、該貼紙に接着される複数本の補強細棒とのセットであって、各補強細棒にそれぞれ所定小長さ間隔をもって複数箇所に折曲用の折り目加工部を形成している。
【００３２】
そして、提灯類を製作するには、貼紙の片面に複数本の補強細棒を所定間隔をもって平行に接着させ、各補強細棒の所定複数箇所の折り目加工部をそれぞれ折曲し、貼紙の側縁部同士（糊代部）を接着させることで、所望形状の提灯類を製作できる。
【００３３】
従って、この請求項１の提灯類製作材料では、次の(1)〜(3)のような効果がある。
(1) 材料（貼紙と複数本の補強細棒）が安価であり、且つ組型のような製作補助具なしで製作できるので、製造コストが極めて安価となる。
(2) 各補強細棒に所定小長さ間隔をもって複数箇所に折り目加工部を形成しているので、該折り目加工部を折曲させることで筒形形状に成形でき、提灯類の製作作業が極めて容易となる。
(3) 各補強細棒について折曲すべき折り目加工部を選択することで、色々な形状に成形できるので、単一の提灯類製作材料で各種形状の提灯類を製作できる（異なる形状ごとの材料を準備する必要がない）。尚、このことは、例えば児童等に提灯類製作用の教材として提供する場合は、共通の提灯類製作材料を配布するだけで各人が好みに応じた形状の提灯類を製作することができ、製作への興味を倍加させることができる。
【００３４】
本願請求項２の発明の効果
本願請求項２の発明は、上記請求項１の提灯類製作材料において、予め貼紙の片面に複数本の補強細棒を接着させたものである。
【００３５】
従って、この請求項２の提灯類製作材料では、上記請求項１の効果に加えて、提灯類製作時に各補強細棒を貼紙に接着させるという手間が不要になり、提灯類製作の作業時間が短くて済むという効果がある。
【００３６】
又、提灯類製作用の教材として提供する場合には、例えば低学年の児童では補強細棒を貼紙に接着する際に失敗する（うまく接着できない）ことが考えられるが、予め補強細棒を貼紙に接着させておけば、低学年の児童でも失敗することなく所望形状の提灯類を製作することができるという効果もある。
【００３７】
本願請求項３の発明の効果
本願請求項３の発明は、上記請求項２の提灯類製作材料において、各補強細棒の左端及び右端に、別の提灯用材料の各補強細棒の右端又は左端を連結する凹凸嵌合部を形成しているので、複数の提灯類製作材料を左右に連続させることができる。
【００３８】
従って、この請求項３の提灯類製作材料では、上記請求項２の効果に加えて、複数の提灯類製作材料を左右に連結して大面積状態で使用することができ、それによって周囲外形を大きくした提灯類を製作できる（形状のバリエーションを多くできる）という効果がある。
【００３９】
本願請求項４の発明の効果
本願請求項４の発明の提灯類製作材料は、製作すべき提灯類の外周面を被覆し得る貼紙の片面に、柔軟性を有し復元可能な細棒状で且つ所定小長さ間隔をもって複数箇所に折曲用の折り目加工部を形成しさらに内部に補強細棒を出し入れ自在に保持し得る空間部を設けた複数本の細棒保持材を所定高さ間隔をもって平行に接着させているとともに、各細棒保持材の空間部内に収容される切断可能な複数本の補強細棒をセットにしている。
【００４０】
そして、この請求項４の提灯類製作材料では、各細棒保持材の空間部内に、それぞれ折曲予定位置にある折り目加工部にかからないようにして各短細棒（補強細棒を切断したもの）を入れて、その各短細棒収容部分の細棒保持材の保形性を維持させた状態で、各折曲予定位置の折り目加工部をそれぞれ折曲させることにより、所望の形状の提灯類に成形できる。又、所定形状に成形した後、貼紙を広げて各短細棒の位置をずらすことにより各折曲予定位置を変更でき、異なる形状の提灯類に成形できる。
【００４１】
従って、この請求項４の提灯類製作材料では、上記請求項２の提灯類製作材料と同様に所望の各種形状の提灯類を製作できるという効果があるとともに、単一のもので繰り返し異なる形状の提灯類に成形でき、特に提灯類製作用の教材として使用する場合には、利用価値が大きいという効果がある。
【実施例】
【００４２】
以下、図１〜図２０を参照して本願のいくつかの実施例を説明すると、図１には第１実施例（請求項１に対応する）の提灯類製作材料を示し、図２〜図３には図１の提灯類製作材料の組付け状態（請求項２に対応するする状態）を示し、図４〜図１３には図２の提灯類製作材料の各種使用例（第１〜第５使用例）を示し、図１４〜図１６には第２実施例（請求項３に対応する）の提灯類製作材料を示し、図１７〜図２０には第３実施例（請求項４に対応する）の提灯類製作材料を示している。
【００４３】
図１に示す第１実施例の提灯類製作材料は、製作すべき提灯類の外周面を被覆する１枚ものの貼紙１と、該貼紙１に接着される複数本（図１例では５本）の補強細棒２，２・・とをセットにして構成されている。この図１の提灯類製作材料では、貼紙１と各補強細棒２，２・・とは、別体の状態で提供される。
【００４４】
貼紙１は、製作すべき提灯類の大きさに応じた適宜の矩形面積を有している。図１の提灯類製作材料の貼紙１では、提灯類の周方向となる横長さと提灯類の高さ方向となる縦長さの比がほぼ２：１のものを使用している。又、この貼紙１は、折曲したり（折り目をつける）裁断したりすることができるとともに、適度の撓み強度（いわゆる「腰」）を有している。尚、この貼紙１の材料としては、和紙が一般的であるが、普通の洋紙やプラスチックシートも使用可能である。
【００４５】
各補強細棒２，２・・は、製作された提灯類の補強骨（通称ヒゴと称されている）となるものである。この第１実施例では、各補強細棒２として、例えば直径が１〜２mm程度の細径で丸棒状のものが採用されている。尚、この各補強細棒２の材料は、竹、木、プラスチック等で比較的撓み強度があるものがよい。
【００４６】
各補強細棒２，２・・の長さは、製作すべき提灯類の周囲長さとほぼ同長さに設定されている。尚、図１のものでは、貼紙１の一側縁部に糊代部１２を設けるために、各補強細棒２の長さを貼紙１の横長さより糊代幅Ｗ（Ｗ＝５〜１０mm程度）だけ短くしている。
【００４７】
各補強細棒２，２・・には、それぞれ所定小長さ間隔Ｐ（例えばＰ＝１〜３cm）をもって複数箇所に折曲用の折り目加工部２１，２１・・を形成している。この各折り目加工部２１，２１・・は、図３に拡大図示するように、補強細棒２の径方向の一部を切除（鈍角形状に切除）して、その切除部分で折り曲げ易くしたものである。尚、この図１のものでは、１本の補強細棒２につき、等間隔で１５箇所に折り目加工部２１，２１・・を形成しており、補強細棒２の全長を各折り目加工部２１で１６等分している。
【００４８】
図１の提灯類製作材料は、貼紙１と各補強細棒２，２・・とを別体にした状態でセットとして提供できる。その場合、提灯類製作者等が、図２に示すように貼紙１上に各補強細棒２，２・・を接着させる作業を行う。尚、各補強細棒２，２・・の貼紙１への接着方法としては、補強細棒２を直接糊付けしてもよいが、図３に示すように細幅の両面接着テープ３で接着させるようにしてもよい。
【００４９】
又、図１の提灯類製作材料（貼紙１と各補強細棒２とが別体）は、図２に示すように、予め貼紙１の片面に各補強細棒２，２・・を接着させた状態で提供することもできる。この図２の場合は、５本の各補強細棒２，２・・を貼紙１の片面に所定等高さ間隔Ｈ（Ｈ＝貼紙１の縦長さの１／４）をもって平行に向く姿勢で接着されている。
【００５０】
図２に示す提灯類製作材料（補強細棒付き貼紙）では、各補強細棒２，２・・は、各折り目加工部２１，２１・・が貼紙１とは反対側に露出する姿勢で接着されている。又、各補強細棒２，２・・は、それらの一端を貼紙１の一側端に揃えて位置決めされている。この状態では、各補強細棒２，２・・のそれぞれの折り目加工部２１，２１・・が補強細棒長さ方向と直交方向の同位置に並ぶように位置決めされる。尚、このとき、貼紙１の他方の側縁には、各補強細棒２，２・・の他端から僅かにはみ出す糊代部１２を残している。
【００５１】
図２の提灯類製作材料は、各補強細棒２，２・・について任意の折り目加工部２１，２１・・でそれぞれ内側に折曲することができるようになっている（例えば図３参照）。尚、補強細棒２を折り目加工部２１で折曲すると、図３に鎖線図示するように、当該折曲部位の貼紙１も補強細棒２とともに折曲される。
【００５２】
図２の提灯類製作材料は、図４〜図１３に示す各使用例のように、単一のもので各種形状の提灯類を製作できる。尚、図４及び図５には第１使用例、図６及び図７には第２使用例、図８及び図９には第３使用例、図１０及び図１１には第４使用例、図１２及び図１３には第５使用例、をそれぞれ示している。又、図４、図６、図８、図１０、図１２の各図において、各折り目加工部２１，２１・・のうち黒く塗り潰している部分がそれぞれ折曲予定位置の折り目加工部であり、符号１１の各点線部分が立体成形したときの貼紙１に形成される折り線となるものである。尚、貼紙１の側縁部にある点線部分（符号１３）は糊代部１２の折り線となる。
【００５３】
図４の第１使用例では、各補強細棒２，２・・における折曲予定位置を、補強細棒の全長を４等分する各位置の３箇所で、上下同位置にある各折り目加工部２１，２１・・（塗り潰し部分）に設定している。そして、それらの折曲予定位置（塗り潰し部分の各折り目加工部２１，２１・・）をそれぞれ谷折りして、各補強細棒２，２・・をそれぞれ平面正方形状に折曲し（貼紙１が四角筒状に折曲される）、糊代部１２を貼紙１の側縁外面に接着させる。この場合は、各補強細棒２，２・・が正方形状態で上下に完全重合しているので、図５に示す四角直筒状の提灯類が製作される。
【００５４】
図６の第２使用例では、各補強細棒２，２・・における折曲予定位置を、三つ置きの各折り目加工部２１であって上段側補強細棒から下段側補強細棒にかけて順次折り目加工部を１ピッチ（図１の寸法Ｐの長さ）ずつずらせた位置にある各折り目加工部（塗り潰し部分）に設定している。この場合、上下各補強細棒２，２・・の折曲予定位置を結ぶ線が傾斜状態の直線状になる（各折り線１１，１１・・の連続線）。そして、それらの折曲予定位置（塗り潰し部分の各折り目加工部２１，２１・・）をそれぞれ谷折りして、各補強細棒２，２・・をそれぞれ平面正方形状に折曲し、糊代部１２を貼紙１の側縁外面に接着させる。この場合は、図７に示すように正方形の各補強細棒２，２・・の向きが水平面内で順次少しずつ（角度２２.５°ずつ）位置ずれしており、従って、図７に示すように捩れた四角筒状の提灯類が製作される。
【００５５】
図８の第３使用例では、各補強細棒２，２・・における折曲予定位置を、三つ置きの各折り目加工部２１であって上段側補強細棒の折曲予定位置と下段側補強細棒の折曲予定位置とが順次ジグザグになる位置の各折り目加工部２１，２１・・（塗り潰し部分）に設定している。そして、それらの折曲予定位置（塗り潰し部分の各折り目加工部２１，２１・・）をそれぞれ谷折りして、各補強細棒２，２・・をそれぞれ平面正方形状に折曲し、糊代部１２を貼紙１の側縁外面に接着させる。この場合は、図９に示すように正方形の各補強細棒２，２・・の向きが水平面内で順次角度４５°ずつ位置ずれしており、従って、図９に示すように貼紙１の周面に凹凸のある筒状の提灯類が製作される。
【００５６】
図１０の第４使用例では、上から３本までの各補強細棒２，２，２のみを折曲させるもので、該３本の補強細棒２，２，２における折曲予定位置を、三つ置きの各折り目加工部２１であって上段側補強細棒の折曲予定位置と下段側補強細棒の折曲予定位置とが順次ジグザグになる位置の各折り目加工部２１，２１・・（塗り潰し部分）に設定している。尚、この第４使用例では、上から４本目と５本目の各補強細棒２，２は、それぞれ円形環状に曲げるものの角出しはしない。そして、上３本の各補強細棒２，２，２の各折曲予定位置（塗り潰し部分の各折り目加工部２１，２１・・）をそれぞれ谷折りするとともに、下２本の各補強細棒２，２をそれぞれ円形に曲げ、糊代部１２を貼紙１の側縁外面に接着させる。この場合は、図１１に示すように上半部の外面に凹凸形状ができる一方、下半部の外面が円形筒状の提灯類が製作される。
【００５７】
図１２の第５使用例は、図１３に示すように平面正三角形の筒状の提灯類を製作するもので、この場合は、各補強細棒２，２・・の全長（１６ピッチある）を３等分するために、折り目加工部２１の１ピッチ分（図１の寸法Ｐの長さ）の幅を切断線Ｍで切断して除去する（各補強細棒２の折り目加工部２１が１４箇所になって各補強細棒２の長さが１５ピッチになり、３の正数倍になる）。そして、各補強細棒２，２・・における折曲予定位置を、補強細棒の全長を３等分する各位置の２箇所で、上下同位置にある各折り目加工部２１，２１・・（塗り潰し部分）に設定し、それらの折曲予定位置（塗り潰し部分の各折り目加工部２１，２１・・）をそれぞれ谷折りして、各補強細棒２，２・・をそれぞれ平面正三角形状に折曲し（貼紙１が三角筒状に折曲される）、糊代部１２を貼紙１の側縁外面に接着させる。この場合は、各補強細棒２，２・・が正三角形状態で上下に完全重合しており、図１３に示す三角直筒状の提灯類が製作される。
【００５８】
尚、図２の提灯類製作材料は、上記第１〜第５使用例のほかに、各補強細棒２，２・・の各折曲予定位置を変更することによって、適宜の形状の提灯類を製作できる。
【００５９】
図１４〜図１６に示す第２実施例の提灯類製作材料では、各補強細棒２，２・・として断面四角形の細棒を使用している。そして、各補強細棒２，２・・の左端２ａ及び右端２ｂに、別の同種の提灯類製作材料の各補強細棒２，２・・の右端２ｂ又は左端２ａを連結するための凹凸嵌合部２２，２３を形成している。
【００６０】
図１４〜図１６の第２実施例では、各補強細棒２の左端２ａに外面となる側が切除された段部を設ける一方、各補強細棒２の右端２ｂに内面となる側が切除された段部を設けて、図１６に示すように別の提灯類製作材料の補強細棒２の端部を重合させたときに各側の補強細棒２，２に段差ができないようにしている。そして、この第２実施例では、各補強細棒２の左端２ａに外向きの突起２２を形成する一方、各補強細棒２の右端２ｂに該突起２２を嵌入させる受穴２３を形成して、図１６に鎖線図示するように該突起２２を該受穴２３内に嵌入させることによって両補強細棒２，２を直線状に連結し得るようにしている。この凹凸嵌合による連結は、それぞれ５本の補強細棒について行われ、そのとき一方の貼紙１の側縁にある糊代部１２を他方の貼紙１の側縁に貼着して（図１６の符号１２′）、各側の貼紙１，１も連続させる。
【００６１】
この第２実施例の提灯類製作材料では、２つの補強細棒付き貼紙のそれぞれの補強細棒２，２の端部同士（一方に突起２２があり他方に受穴２３がある）をそれぞれ凹凸嵌合させることにより、２つの提灯類製作材料を左右に連続させた大面積にすることができる。又、継ぎ足し側（図１６の右側）の提灯類製作材料は、必要長さだけ裁断したものを使用することができる。このように、２つの提灯類製作材料を連続させて使用すると、周囲外形を大きくした提灯類を製作できる（形状のバリエーションを多くできる）。尚、この第２実施例の提灯類製作材料は、別の提灯類製作材料を継ぎ足さないで単独でも使用できることは勿論である。又、この第２実施例の提灯類製作材料も、図１６に鎖線図示するように任意の折り目加工部２１で貼紙１ごと折曲して、各種形状の提灯類を製作できる。
【００６２】
図１７〜図２０に示す第３実施例の提灯類製作材料は、１つのセットで形状の異なる提灯類を何度も再製することができるようにしたものである。
【００６３】
この第３実施例の提灯類製作材料は、図１７に示すように、製作すべき提灯類の外周面を被覆する貼紙１の片面に、柔軟性を有し復元可能な細棒状で内部に補強細棒５を短細棒５１の状態で保持できる複数本（５本）の細棒保持材４，４・・を所定高さ間隔Ｈをもって平行に接着させているとともに、各細棒保持材４の空間部４２内に収容される切断可能な複数本の補強細棒５，５・・をセットにしたものである。
【００６４】
各細棒保持材４，４・・は、柔軟性を付与するために、軟質ゴム（又は軟質プラスチック）のような材質のもので成形されている。この各細棒保持材４，４・・内には、補強細棒５を収容・保持できる空間部４２が該細棒保持材４の全長に亘って形成されている。この空間部４２は、断面をＣ形にして、スリット状の開口部４３からでも補強細棒５（短細棒５１）を出し入れし得るようにしている。各細棒保持材４には、所定小長さ間隔Ｐ（Ｐ＝１〜３cm程度）をもって複数箇所に折り目加工部４１，４１・・を形成している。この各折り目加工部４１は、小範囲の部分を切除して曲げ易くしたものである。そして、この各細棒保持材４，４・・は、貼紙１の片面に、上記各実施例の補強細棒と同様に接着されている。
【００６５】
この各細棒保持材４，４・・は、空間部４２内に補強細棒（短細棒５１）を入れていない状態では、それぞれの折り目加工部４１，４１・・で貼紙１ごと自由に折曲させることができるとともに、その折曲部分を延ばせば貼紙１ごと元の直線状に復帰させることができる。尚、各細棒保持材４，４・・を貼紙１に接着させただけのものでは、該細棒保持材４に強度が乏しいので、提灯類として成形したときに保形性を維持できない。
【００６６】
細棒保持材４の空間部４２内に保持させる補強細棒５としては、竹ヒゴのような細い丸棒材が使用される。この補強細棒５は、長尺のものであるが、使用時にハサミ等で所定長さに切断して使用される（図１８に示す短細棒５１）。
【００６７】
この第３実施例の提灯類製作材料は、図１８〜図１９に示すようにして使用される。まず製作すべき提灯類の形状に応じて各細棒保持材４，４・・についてそれぞれ複数の折曲予定位置を選定する（図１８、図１９において黒丸Ｂを付した各折り目加工部４１）。尚、図１８の使用例では、図９の第３使用例で製作された提灯類（周面に凹凸のある提灯類）を製作するものである。
【００６８】
次に、長尺の補強細棒５を、図１８に示すように、隣接する２つの折曲予定位置間（及び該細棒保持材４の端部から第１折曲予定位置まで）の長さよりやや短い長さに切断して、必要本数の短細棒５１，５１・・を形成しておく。そして、図１９に示すように、各短細棒５１，５１・・を折曲予定位置（黒丸Ｂ）の折り目加工部４１にかからないようにして、それぞれ細棒保持材４の空間部４２内に収容・保持させる。この状態では、各細棒保持材４，４・・の折曲予定位置（短細棒５１が入っていない黒丸Ｂ部分の折り目加工部４１）は自由に折曲できるが、細棒保持材４における短細棒５１が入っている部分は折曲できない。そして、図２０に鎖線図示するように各細棒保持材４のそれぞれ折曲予定位置を貼紙１ごと折曲させると、予定していた形状の筒形（図９に示す周面に凹凸のある形状）に成形できる。この成形状態では、各細棒保持材４，４・・の各折曲部間に短細棒５１，５１・・が保持されているので、筒形形状の保形性は確保されている。又、所定の形状に成形した後、異なる形状にやり代える場合には、貼紙１の糊代部１２（図１８、図１９）は接着させないでおく。
【００６９】
そして、所定形状に成形した後、異なる形状にやり代える場合は、各細棒保持材４，４・・の折曲させていた部分を貼紙１とともに直線状に延ばし（貼紙も平面状態になる）、新しく製作すべき提灯類の形状に応じて、各細棒保持材４，４・・についてそれぞれ新しく折曲予定位置を選定して、各短細棒５１をそれぞれ折曲予定位置にかからないように移動させ（又は取外して別の長さの短細棒５１を空間部内に入れる）、各細棒保持材４１の新しい各折曲予定位置をそれぞれ貼紙１とともに折曲させることで、異なる形状の提灯類を製作できる。尚、提灯類の最終形態を確定するときには、糊代部１２（図１８、図１９）を接着させることで、筒形の形状に維持させることができる。
【図面の簡単な説明】
【００７０】
【図１】本願第１実施例の提灯類製作材料（貼紙と補強細棒が別体）の平面図である。
【図２】図２の提灯類製作材料の各材料を合体させた状態の平面図である。
【図３】図２の提灯類製作材料の機能説明用の一部拡大斜視図である。
【図４】図２の提灯類製作材料の第１使用例の説明図である。
【図５】図４の第１使用例で製作した提灯類の斜視図である。
【図６】図２の提灯類製作材料の第２使用例の説明図である。
【図７】図６の第２使用例で製作した提灯類の斜視図である。
【図８】図２の提灯類製作材料の第３使用例の説明図である。
【図９】図８の第３使用例で製作した提灯類の斜視図である。
【図１０】図２の提灯類製作材料の第４使用例の説明図である。
【図１１】図１０の第４使用例で製作した提灯類の斜視図である。
【図１２】図２の提灯類製作材料の第５使用例の説明図である。
【図１３】図１２の第５使用例で製作した提灯類の斜視図である。
【図１４】本願第２実施例の提灯類製作材料の平面図である。
【図１５】図１４の一部拡大斜視図である。
【図１６】図１４の提灯類製作材料の機能説明図である。
【図１７】本願第３実施例の提灯類製作材料の平面図である。
【図１８】図１７の提灯類製作材料の使用方法説明図である。
【図１９】図１８からの作業進行状態を示す一部拡大図である。
【図２０】図１９からの作業進行状態を示す説明図である。
【符号の説明】
【００７１】
１は貼紙、２は補強細棒、２ａ，２ｂは端部、４は細棒保持材、５は補強細棒、１１は折り線、１２は糊代部、２１は折り目加工部、２２，２３は凹凸嵌合部、４１は折り目加工部、４２は空間部、５１は短細棒である。
【図１】
2006228548.tif 000003
【図２】
2006228548.tif 000004
【図３】
2006228548.tif 000005
【図４】
2006228548.tif 000006
【図５】
2006228548.tif 000007
【図６】
2006228548.tif 000008
【図７】
2006228548.tif 000009
【図８】
2006228548.tif 000010
【図９】
2006228548.tif 000011
【図１０】
2006228548.tif 000012
【図１１】
2006228548.tif 000013
【図１２】
2006228548.tif 000014
【図１３】
2006228548.tif 000015
【図１４】
2006228548.tif 000016
【図１５】
2006228548.tif 000017
【図１６】
2006228548.tif 000018
【図１７】
2006228548.tif 000019
【図１８】
2006228548.tif 000020
【図１９】
2006228548.tif 000021
【図２０】
2006228548.tif 000022